(57)【要約】【課題】  デジタルテレビ放送受信において、ＣＭ中の特殊再生を制限し、制限の度合いをＣＭ提供者が指定でき、視聴者にＣＭを効果的に視聴してもらう。【解決手段】  受信手段と、蓄積手段と、視聴者から指示を受け取る入力手段と、再生や特殊再生の制御を行う再生制御手段と、ＣＭの属性情報を検出するＣＭ属性検出手段と、映像、音声として出力する出力手段と、ＣＭ属性情報が検出された場合、属性内容に従ってＣＭの特殊再生を制限する特殊再生制限手段を備えることを特徴とするデジタルテレビ放送録画再生装置で、ＣＭ属性はＣＭを一意に識別する識別子とＣＭの再生回数と再生期間情報を含み、蓄積手段はＣＭの実際の再生回数をＣＭごとに記録し、特殊再生制限手段はＣＭの実際の再生回数がＣＭ属性中の再生回数に達していない場合にのみ特殊再生制限を行う。【選択図】  図１
2009278248.tif 000002
【特許請求の範囲】
【請求項１】
デジタルテレビ放送録画再生装置であって、デジタルテレビ放送を受信する受信手段と、受信したビットストリームを記録蓄積する蓄積手段と、視聴者から再生の開始や停止、巻き戻し、早回し、タイムジャンプの特殊再生の指示を受け取る入力手段と、再生や特殊再生のために、前記蓄積手段からの読みこみを制御してビットストリームを取り出す再生制御手段と、前記再生制御手段から出力されるビットストリームからコマーシャルの属性情報を検出するコマーシャル属性検出手段と、前記再生制御手段から出力されるビットストリームを映像、音声として出力する出力手段と、前記コマーシャル属性検出手段によりコマーシャル属性情報が検出された場合、属性内容に従ってコマーシャルの特殊再生を制限する特殊再生制限手段を備えることを特徴とするデジタルテレビ放送録画再生装置。
【請求項２】
コマーシャル属性検出手段によりコマーシャルが検出され、かつ入力装置より特殊再生が指示された場合、視聴者に特殊再生ができないことを告知する告知手段を有することを特徴とする請求項１に記載のデジタルテレビ放送録画再生装置。
【請求項３】
コマーシャル属性はコマーシャルを一意に識別する識別子とコマーシャルの再生回数とを含み、前記蓄積手段はコマーシャルの実際の再生回数をコマーシャルごとに記録することを特徴とし、特殊再生制限手段はコマーシャルの実際の再生回数が、コマーシャル属性中の再生回数に達していない場合に特殊再生制限を行うことを特徴とする請求項１又は請求項２記載のデジタルテレビ放送録画再生装置。
【請求項４】
コマーシャル属性はコマーシャルの再生期間情報を含み、特殊再生制限手段はコマーシャルの再生期間中に特殊再生制限を行うことを特徴とする請求項１〜請求項３のいずれかに記載のデジタルテレビ放送録画再生装置。
【請求項５】
放送局におけるコマーシャル送出装置において、請求項１〜請求項４のいずれかに記載のデジタルテレビ放送録画再生装置のコマーシャル属性検出手段が検出可能な属性情報を付与して送出することを特徴とするコマーシャル送出装置。
【請求項６】
デジタルテレビ放送録画再生装置に適用されるデジタルテレビ放送録画再生方法であって、デジタルテレビ放送を受信する受信ステップと、受信したビットストリームを記録蓄積する蓄積ステップと、視聴者から再生の開始や停止、巻き戻し、早回し、タイムジャンプの特殊再生の指示を受け取る入力ステップと、再生や特殊再生のために、前記蓄積ステップからの読みこみを制御してビットストリームを取り出す再生制御ステップと、前記再生制御ステップから出力されるビットストリームからコマーシャルの属性情報を検出するコマーシャル属性検出ステップと、前記再生制御ステップから出力されるビットストリームを映像、音声として出力する出力ステップと、前記コマーシャル属性検出ステップによりコマーシャル属性情報が検出された場合、属性内容に従ってコマーシャルの特殊再生を制限する特殊再生制限ステップを有することを特徴とするデジタルテレビ放送録画再生方法。
【請求項７】
コマーシャル属性検出ステップによりコマーシャルが検出され、かつ入力装置より特殊再生が指示された場合、視聴者に特殊再生ができないことを告知する告知ステップを有することを特徴とする請求項６に記載のデジタルテレビ放送録画再生方法。
【請求項８】
コマーシャル属性はコマーシャルを一意に識別する識別子とコマーシャルの再生回数とを含み、前記蓄積ステップはコマーシャルの実際の再生回数をコマーシャルごとに記録することを特徴とし、特殊再生制限ステップはコマーシャルの実際の再生回数が、コマーシャル属性中の再生回数に達していない場合に特殊再生制限を行うことを特徴とする請求項６〜請求項７のいずれかに記載のデジタルテレビ放送録画再生方法。
【請求項９】
コマーシャル属性はコマーシャルの再生期間情報を含み、特殊再生制限ステップはコマーシャルの再生期間中に特殊再生制限を行うことを特徴とする請求項６〜請求項８のいずれかに記載のデジタルテレビ放送録画再生方法。
【請求項１０】
放送局におけるコマーシャル送出装置に適用されるコマーシャル送出方法であって、請求項６〜請求項９のいずれかに記載のデジタルテレビ放送録画再生方法のコマーシャル属性検出方法が検出可能な属性情報を付与して送出するステップを有することを特徴とするコマーシャル送出方法。
【発明の詳細な説明】
【技術分野】
【０００１】
本発明は、デジタルテレビ放送録画再生装置、放送局におけるコマーシャル送出装置、デジタルテレビ放送録画再生方法、放送局におけるコマーシャル送出方法に関する。
【背景技術】
【０００２】
近年、放送衛星、通信衛星などの衛星や、光ケーブルのような広帯域デジタル通信技術の進歩によってＴＶ（テレビジョン）放送信号をデジタル化して伝送し、各家庭において、これを受信するシステムが普及しつつある。
【０００３】
視聴者に対し無料のデジタルテレビ放送事業者は番組の途中にコマーシャルを挿入し、広告収入により番組を作成し放送しているのであって、広告収入を上げる為にはコマーシャルの視聴率を向上することが必要である。
【０００４】
一方、視聴者側では、ハードディスクが高速化、大容量化し、今後も１年で２倍程度の記録密度が向上される見こみで、音声、映像をハードディスクに長時間録画再生することが可能になりつつある。ビデオテープのようなシーケンシャルアクセスからハードディスクのようなランダムアクセスが可能な記憶媒体に録画することにより、コマーシャルを精度よくスキップして番組のみを再生することが可能である。
【０００５】
このようなデジタルテレビ放送受信システムでは、視聴者がコマーシャルを視聴せずに番組だけを視聴することになり、事業者は広告効果の低下によって広告収入が減り、事業基盤がゆらいでしまうという危機に直面している。
【０００６】
そこで、視聴者がコマーシャルを飛ばして番組だけを視聴するのを防止し、視聴者が特殊再生をできないようにする方法が考えられた。
【０００７】
上記の例として、下記特許文献１と特許文献２をあげることが出来る。
【特許文献１】特開平11-187310号公報
【特許文献２】特開平11-112903号公報
【発明の開示】
【発明が解決しようとする課題】
【０００８】
しかしながら、従来のようなデジタルテレビ放送受信システムでは、同じコマーシャルを何度も見るうちに視聴者は苦痛を感じ、コマーシャルの宣伝効果が薄れ、また、古いコマーシャルを再生しても実際にはキャンペーン期間が終了していたり、商品が生産終了したりして宣伝効果が無意味な場合が発生していた。
【０００９】
本発明は、上述した点に鑑みてなされたものであり、視聴者がコマーシャルを飛ばして番組だけを視聴するのを防止し、視聴者にコマーシャルを効果的に視聴してもらうことを目的としている。
【００１０】
また、本発明は、コマーシャルの特殊再生を制限した時に、視聴者が機器の故障や不都合が発生したと誤解しないことを目的としている。
【課題を解決するための手段】
【００１１】
上記目的を達成する為に、請求項１に記載の本発明は、デジタルテレビ放送録画再生装置であって、デジタルテレビ放送を受信する受信手段と、受信したビットストリームを記録蓄積する蓄積手段と、視聴者から再生の開始や停止、巻き戻し、早回し、タイムジャンプなどの特殊再生などの指示を受け取る入力手段と、再生や特殊再生のために、前記蓄積手段からの読みこみを制御してビットストリームを取り出す再生制御手段と、前記再生制御手段から出力されるビットストリームからコマーシャルの属性情報を検出するコマーシャル属性検出手段と、前記再生制御手段から出力されるビットストリームを映像、音声として出力する出力手段と、前記コマーシャル属性検出手段によりコマーシャル属性情報が検出された場合、属性内容に従ってコマーシャルの特殊再生を制限する特殊再生制限手段を備えることを特徴とする。
【００１２】
上記目的を達成する為に、請求項２に記載の本発明は、コマーシャル属性検出手段によりコマーシャルが検出され、かつ入力装置より特殊再生が指示された場合、視聴者に特殊再生ができないことを告知する告知手段を有することを特徴とする。
【００１３】
上記目的を達成する為に、請求項３に記載の本発明は、コマーシャル属性はコマーシャルを一意に識別する識別子とコマーシャルの再生回数とを含み、前記蓄積手段はコマーシャルの実際の再生回数をコマーシャルごとに記録することを特徴とし、特殊再生制限手段はコマーシャルの実際の再生回数が、コマーシャル属性中の再生回数に達していない場合に特殊再生制限を行うことを特徴とする。
【００１４】
上記目的を達成する為に、請求項４に記載の本発明は、コマーシャル属性はコマーシャルの再生期間情報を含み、特殊再生制限手段はコマーシャルの再生期間中に特殊再生制限を行うことを特徴とする。
【００１５】
上記目的を達成する為に、請求項５に記載の本発明である放送局におけるコマーシャル送出装置は、請求項１〜請求項４のいずれかに記載のデジタルテレビ放送録画再生装置のコマーシャル属性検出手段が検出可能な属性情報を付与して送出することを特徴とする。
【００１６】
上記目的を達成する為に、請求項６に記載の本発明は、デジタルテレビ放送を受信する受信ステップと、受信したビットストリームを記録蓄積する蓄積ステップと、視聴者から再生の開始や停止、巻き戻し、早回し、タイムジャンプなどの特殊再生などの指示を受け取る入力ステップと、再生や特殊再生のために、前記蓄積ステップからの読みこみを制御してビットストリームを取り出す再生制御ステップと、前記再生制御ステップから出力されるビットストリームからコマーシャルの属性情報を検出するコマーシャル属性検出ステップと、前記再生制御ステップから出力されるビットストリームを映像、音声として出力する出力ステップと、前記コマーシャル属性検出ステップによりコマーシャル属性情報が検出された場合、属性内容に従ってコマーシャルの特殊再生を制限する特殊再生制限ステップを有することを特徴とする。
【００１７】
上記目的を達成する為に、請求項７に記載の本発明は、コマーシャル属性検出ステップによりコマーシャルが検出され、かつ入力装置より特殊再生が指示された場合、視聴者に特殊再生ができないことを告知する告知ステップを有することを特徴とする。
【００１８】
上記目的を達成する為に、請求項８に記載の本発明は、コマーシャル属性はコマーシャルを一意に識別する識別子とコマーシャルの再生回数とを含み、前記蓄積ステップはコマーシャルの実際の再生回数をコマーシャルごとに記録することを特徴とし、特殊再生制限ステップはコマーシャルの実際の再生回数が、コマーシャル属性中の再生回数に達していない場合に特殊再生制限を行うことを特徴とする。
【００１９】
上記目的を達成する為に、請求項９に記載の本発明は、コマーシャル属性はコマーシャルの再生期間情報を含み、特殊再生制限ステップはコマーシャルの再生期間中に特殊再生制限を行うことを特徴とする。
【００２０】
上記目的を達成する為に、請求項１0に記載の本発明である放送局におけるコマーシャル送出装置は、請求項６〜請求項９のいずれかに記載のデジタルテレビ放送録画再生方法のコマーシャル属性検出方法が検出可能な属性情報を付与して送出するステップを有することを特徴とする。
【発明の効果】
【００２１】
以上説明したように、請求項１〜請求項４のいずれかに記載のデジタルテレビ放送録画再生装置、請求項５に記載のコマーシャル送出装置、請求項６〜請求項９のいずれかに記載のデジタルテレビ放送録画再生方法、請求項１０に記載のコマーシャル送出方法によれば、視聴者がコマーシャルを飛ばして番組だけを視聴するのを防止し、視聴者にコマーシャルを効果的に視聴してもらうという効果がある。
【００２２】
また、請求項２に記載のデジタルテレビ放送録画再生装置、請求項７に記載のデジタルテレビ放送録画再生方法によれば、コマーシャルの特殊再生を制限した時に、視聴者が機器の故障や不都合が発生したと誤解しないという効果がある。
【発明を実施するための最良の形態】
【００２３】
次に、本発明の詳細を実施例の記述に従って説明する。
【実施例１】
【００２４】
以下、本発明の実施の形態を図面に基づいて詳細に説明する。
【００２５】
図１は本発明に係るコマーシャル送出装置の構成を示すブロック図である。
【００２６】
コマーシャル送出装置はコマーシャルサーバ１、コマーシャル挿入部４、システム制御部６、放送送出部５から構成される。図中コマーシャルサーバ１は従来のコマーシャル素材２と本発明であるコマーシャル属性情報３を入力とし、広告主との契約に従ったタイミングで両データを混合したコマーシャルデータを出力するものである。コマーシャル挿入部４は番組データにコマーシャルデータを挿入するものである。放送送出部５は、受信手段が受信可能な方式で放送送出する。システム制御部６は放送するコマーシャルをコマーシャルサーバに出力させ、適切なタイミングでコマーシャル挿入部に番組にコマーシャルを挿入する制御を行うものである。コマーシャルを挿入するタイミングは、番組データ中に含まれたコマーシャル挿入指示情報、あらかじめ指定した時刻に起動するタイマ装置、または、人による切り替え操作などを元にする。
【００２７】
図２はコマーシャル送出装置のコマーシャル挿入部における番組データの入力地点とコマーシャル挿入後の出力地点を通過するデータの様子を時間軸上で示した一例で、特にコマーシャルに切り替えられる様子を示したものである。
【００２８】
１０から１２はコマーシャル挿入部の番組データ入力の様子を示したものである。番組内容などによりいくつかの場合があるが、いずれの場合も番組データは、番組の映像情報、音声情報、メタ情報が多重化されたビットストリームである。メタ情報には、番組に付随するテキスト、画像、音声などの情報や、コマーシャルの挿入を指示するシステム制御部制御情報などを含めることができる。１０はスポーツや生中継の映像などのようにコマーシャル時間中も番組データが入力されて来る場合である。１１はドラマや映画のような編集済みの番組などのように、コマーシャル切り替え中は番組データが入力されない場合である。１２は地方局において、本放送局からコマーシャルが挿入済みのデータが送られるような環境で、コマーシャルをローカル用に差し替えて放送する場合である。１３はコマーシャル挿入部の出力の様子を示したものである。コマーシャルには番組データと同様に映像情報、音声情報、メタ情報からなるコマーシャル素材が挿入されており、コマーシャル素材に先立ってコマーシャル属性情報データが送出される。
【００２９】
図３はコマーシャル属性情報データの構造の一例を示したものである。
【００３０】
コマーシャル属性情報は、コマーシャル属性情報開始識別子２００，番号開始識別子２０１，コマーシャル番号実体２０２，コマーシャル番号終了識別子２０３，長さ開始識別子２０４，長さ実体２０５，長さ終了識別子２０６，再生回数開始識別子２０７，再生回数実体２０８，再生回数終了識別子２０９，再生期限開始識別子２１０，再生期限実体２１１，再生期限終了識別子２１２，コマーシャル属性情報終了識別子２１３から構成される。
【００３１】
以下に各情報を詳細に説明する。
【００３２】
コマーシャル属性情報開始識別子２００はコマーシャル属性情報の開始を示す。コマーシャル番号開始識別子２０１はコマーシャル番号情報の開始を示す。コマーシャル番号実体２０２はコマーシャル番号を示すものである。これは、コマーシャルの再生回数をコマーシャルごとに記録する必要があることから、コマーシャルを識別する為のものであるので、コマーシャルを識別できる情報であるならば数字に限る必要はない。コマーシャル番号終了識別子２０３はコマーシャル番号情報の終了を示す。長さ開始識別子２０４は長さ実体情報の開始を示す。長さ実体２０５はコマーシャルの再生時間を示すものである。長さ終了識別子２０６は長さ実体情報の終了を示す。再生回数開始識別子２０７は再生回数実体情報の開始を示す。再生回数実体２０８はコマーシャルをここに記述した回数以上再生するまでは、特殊再生制限手段がコマーシャルの特殊再生が出来ないようにするものである。再生回数終了識別子２０９は再生回数実体情報の終了を示す，再生期限開始識別子２１０は再生期限実体情報の開始を示す。再生期限実体２１１はここに指定した期限までは特殊再生制限手段がコマーシャルの特殊再生が出来ないようにするものである。再生期限終了識別子２１２は再生期限実体情報の終了を示す。コマーシャル属性情報終了識別子２１３はコマーシャル属性情報の終了を示す。
【００３３】
なお、本コマーシャル属性情報の一部は省略が可能である。すなわち、再生回数開始識別子２０７，再生回数実体２０８，再生回数終了識別子２０９から構成される再生回数に関する情報は省略してもよい。この場合、特殊再生制限手段は再生回数による特殊再生制限を行わない。また、再生期限開始識別子２１０，再生期限実体２１１，再生期限終了識別子２１２から構成される再生期限に関する情報は省略してもよい。この場合、特殊再生制限手段は再生期限による特殊再生制限を行わない。
【００３４】
データ構造は本実施例のコマーシャル属性検出手段がコマーシャル属性情報を検出するために用いるものである為、本実施形態による文字列による表現の他、本属性情報をコマーシャルをスキップする目的で利用されることがないようにするため、コマーシャル属性検出手段のみが検出し得る特定のビット列でも表現は可能である。
【００３５】
図４はデジタルテレビ放送録画再生装置のブロック図を示したものである。この図を用いてデジタルテレビ放送録画再生装置の各部の働きを説明する。受信部３１は有線または無線により送られてくるデジタルテレビ放送を受信、増幅、復調しデジタルデータであるビットストリームを出力する機能を有する。蓄積部３２は受信部から出力されるビットストリームを記録装置３３に記録し、また再生制御部の指示により、所定のアドレスに記録されたビットストリームを出力する機能を有する。また、実際のコマーシャル再生回数をカウントし、コマーシャル番号と対応付けて記録する。図５は蓄積部３２に蓄積されるコマーシャルの再生回数のテーブルを示したものである。蓄積部３２はコマーシャルを再生することでテーブルを更新し、また必要に応じて指定されたコマーシャル番号の再生回数を出力する。再生制御部３４は映像の再生、停止、特殊再生などの指令を受け、必要なデータが格納されているアドレスを逐次求めて蓄積部３２に指示を行う。
【００３６】
特殊再生とは、巻き戻し、高速再生、指定時間再生個所を前後させたり指定個所からの再生開始などのタイムジャンプなどの機能による動画の再生方法で、コマーシャルの通常の再生と比較して視聴者に訴える効果が発揮できない再生方法すべてをさす。
【００３７】
図４に戻り、コマーシャル属性検出部３５は蓄積部の出力するビットストリームを受けてコマーシャルの属性情報を検出する。検出した情報は特殊再生制限部３７で参照し、また、検出したコマーシャルの再生回数の更新を蓄積部３２に指示する。出力部３６はビットストリームを入力すると、それを映像および音声信号に変換して表示および音声出力を行う。特殊再生制限部３７はコマーシャル属性情報を参照して特殊再生の制限を行い、また告知部３８へ告知の指示を行う。告知部３８は特殊再生制限部３７の指示により、視聴者に対し特殊再生命令を受信したが、特殊再生が無効であることを告知する。ユーザーインターフェース部３９は視聴者から受信、再生、蓄積の開始や停止、特殊再生の指示を受け取る。
【００３８】
図６は本発明によるデジタルテレビ放送録画再生装置のシステム構成を示したものである。尚、図６に示す構成は一例であり、図示の構成に限定されるものではない。
【００３９】
以下、図６を用いて構成を詳述する。
【００４０】
ＣＰＵ４１は、本実施形態のデジタルテレビ放送録画再生装置の制御を司るものであり、バス５１を介して、ＲＡＭ４２、ＲＯＭ４３、記憶装置４４、ネットワークインターフェースＮｅｔ  Ｉ／Ｆ４５、出力装置４６、入力装置４８、警告装置４９、チューナー５０と相互に接続され、相互にデータの送受が可能となっている。また、ＣＰＵ４１は、後述の図７のフローチャートに示す処理を実行する。ＲＡＭ４２は、各種演算結果や入力された情報を一時的に格納したりする読み出し書き込み可能メモリである。ＲＯＭ４３は、ＣＰＵ４１が実行する各種の処理プログラムなどを記憶する読み出し専用メモリである。記憶装置４４は、ハードディスクなどにより構成されており、受信した放送データを記憶する。ＤＶＤ−ＲＡＭを始めとするランダムアクセス可能な大容量記憶媒体を用いて交換可能な記憶装置により構成してもよい。
【００４１】
Ｎｅｔ  Ｉ／Ｆ４５は、電話回線、ＩＥＥＥ１３９４などにより構成されるネットワークインターフェースである。出力部４６は、デコーダやデジタルアナログ変換機などにより構成され、デジタルデータをデコードし、映像、音声信号に変換し出力する。ＴＶ４７は映像、音声信号を表示、発声するテレビジョンである。
【００４２】
入力部４９はキーボードや赤外線リモコン送受信機などにより構成され、視聴者がデジタルテレビ放送録画再生装置に特殊再生の指示を行う為のユーザーインターフェース入力部である。告知装置４９は、発光ダイオードの点灯、点滅、キャラクタパネルへの表示、ＴＶ４７の映像出力部へのオンスクリーンディスプレイ表示、音声出力部へ警告音を出力するなどの方法により構成され、コマーシャル再生中は特殊再生操作が出来ないことを視聴者に告知する。チューナー５０は、デジタルテレビ放送を受信し、復号しデジタルデータに変換する受信機である。
【００４３】
図７は特殊再生制限部における判断方法を説明したフローチャートである。
【００４４】
ユーザーインターフェース部３９からコマンド入力が発生するとステップＳ１が起動する。ステップＳ２では入力コマンドを評価し、コマンドが特殊再生か否かを判断する。
【００４５】
特殊再生の指示であった場合は、ステップＳ３に進み、コマーシャル属性検出部からのコマーシャル属性情報を評価し、コマーシャル再生回数の制限以内か否かを判断する。すなわち、コマーシャル属性情報に再生回数実体２０８が存在し、かつ、再生回数実体２０８で指定された回数と、蓄積部３２に蓄積されたコマーシャル番号実体２０２の実際の再生回数を比較し、再生回数実体２０８以下であった場合には真となりステップＳ５に進み、偽であった場合にはステップＳ４に進む。ステップＳ４ではコマーシャル再生期間中か否かを判断する。すなわち、コマーシャル属性情報に再生期限実体２１１が存在し、かつ再生期限実体２１１で指定された再生期限内であれば真となりステップＳ５に進み、偽であった場合にはステップＳ７に進む。
【００４６】
ステップＳ５では、入力を無効化する。すなわち、再生制御部34に対し、ユーザーインターフェース部３９から入力された特殊再生のコマンドを伝達しない。次にステップＳ６に進み、告知部３８に対し、告知指示を行い、視聴者に入力が無効であることを告知する。ステップＳ２でＫ入力コマンドの評価において、特殊再生コマンドでない場合や、ステップＳ３においてコマーシャル再生回数の制限を超えた場合や、ステップＳ４においてコマーシャル再生期間を過ぎていた場合はステップＳ７に進み入力をスルーする。すなわち、再生制御部３４に対しユーザーインターフェース部３９の入力を伝達する。
【００４７】
本発明によるデジタルテレビ放送録画再生装置を安価に視聴者が入手できる仕組みを説明する。図８は放送事業者７１、視聴者７２、広告主７３、録画再生装置提供者７４の関係を説明した図である。この図を元に各々のサービスと金銭の流れを説明する。
【００４８】
放送事業者７１は広告主７３から広告料金を聴取して番組を作成し、コマーシャルと共に視聴者７２へ放送する。放送事業者７１は本発明の録画再生装置の普及によりコマーシャル視聴率を確保することができ、広告収入の確保が可能になる。また、広告収入の中から録画再生装置提供者７４に対し、本発明により広告の視聴率が向上することの対価として録画再生装置の一部を負担する。広告主７３は、広告を視聴者７２に放送する対価として、放送事業者７１へ広告料金を支払う。広告主は、コマーシャルに本発明による特殊再生の抑制を行うか否かを選択することが出来、抑制する場合は抑制しない場合に比べて広告料金が高くなる事になる。録画再生装置提供者７４は視聴者７２に録画再生装置を広告主からの負担分だけ安価に販売する。視聴者７２は録画再生装置提供者７４から安価に本発明の録画再生装置を購入でき、放送事業者７１から放送される番組、コマーシャルを視聴し広告主７３の提供する商品を購入する。
【実施例２】
【００４９】
コマーシャル属性情報にコマーシャル開始点を明確にする情報を格納することで、コマーシャル属性情報はコマーシャル開始直前ではなく、所定時間前に挿入してもよい。
【実施例３】
【００５０】
図６の本発明によるデジタルテレビ放送録画再生装置の構成において、記憶装置４４はバス５１に接続される構成となっていたが、Ｎｅｔ  Ｉ／Ｆ４５を介して外部機器に接続し、外部機器に蓄積可能な蓄積部を構成することで本発明を実施してもよい。
【００５１】
また、この蓄積部はネットワークにより複数のデジタルテレビ放送録画再生装置と接続され、蓄積部に記憶されたデジタルデータを複数のデジタルテレビ放送録画再生装置で共有すべく構成された装置であってもよい。
【実施例４】
【００５２】
デジタルテレビ放送方式は、地上波及び人工衛星を経由した無線による放送や、ケーブルテレビ用回線などによる有線放送の他に、無線電話基地、中継機、受信機からなる無線電話網を利用したデータ通信網、電話線、電力線による有線放送、インターネットによる動画放送など、放送メディアを問わず実施できる。
【実施例５】
【００５３】
第１の実施例において、ＣＰＵ４１が実行するコマーシャル属性検出手段、特殊再生制限手段を実現する処理プログラムなどをＲＯＭ４３に記憶したが、プログラムを記憶装置４４に記憶して、電源投入後にプログラムを記憶装置４４からＲＡＭ４２に読み込んで実行してもよい。この場合、記憶装置４４に記憶するプログラムは、Net I/F４５を介してプログラムを受信し、または、チューナー５０を介してプログラムが多重化されたビットストリームを受信してプログラムデータを分離することで、得ることができる。
【図面の簡単な説明】
【００５４】
【図１】本発明のコマーシャル送出装置の概略構成を示すブロック図である。
【図２】本発明のコマーシャル送出装置におけるデータの流れを説明する図である。
【図３】本発明の実施例に係るコマーシャル属性情報データを示す説明図である。
【図４】本発明のデジタルテレビ放送録画再生装置のブロック図である。
【図５】本発明の実施例に係る蓄積手段に蓄積されるコマーシャルの再生回数情報の構造を示すテーブルである
【図６】本発明のデジタルテレビ放送録画再生装置のシステム構成を示すブロック図である。
【図７】特殊再生制限部における判断方法を説明したフローチャートである。
【図８】放送事業者、視聴者、広告主、録画再生装置提供者の関係を説明した図である。
【図１】
2009278248.tif 000003
【図２】
2009278248.tif 000004
【図３】
2009278248.tif 000005
【図４】
2009278248.tif 000006
【図５】
2009278248.tif 000007
【図６】
2009278248.tif 000008
【図７】
2009278248.tif 000009
【図８】
2009278248.tif 000010